(57)【要約】【課題】  従来の室外機に換気装置を具備する空気調和機は室外機の高さ寸法が高くなりマンション等の天吊据付ができないという据付制約が発生するという問題があった。また、室内全体を換気する別の換気システムにより室内が室外に対して負圧になると、室外から室内に空気が流れる逆流現象が生じるため、冬季に暖房で加湿を行っている状態で、室内空気の露点温度以下の室外空気が逆流した場合、室内に引き込まれた換気ダクトは室外空気により冷却されて、換気ダクト外郭に結露水が付着してしまうという問題があった。【解決手段】  この発明の換気装置付空気調和機は、室外機の外郭に換気装置を備え、内部にダクト内の逆流防止弁を内蔵したものである。【選択図】      図３
2005134026.tif 000002
【特許請求の範囲】
【請求項１】
熱交換器と、室外側送風機と、電気品箱と、圧縮機とを室外機の外郭内に配した空気調和機において、前記室外機の外郭側面に換気装置を設けたことを特徴とする換気機能付空気調和機。
【請求項２】
換気装置を室外機外郭の冷媒配管接続側の側面に配置し、その幅寸法を冷媒配管カバーとほぼ同一にしたことを特徴とする請求項１記載の換気装置付空気調和機。
【請求項３】
熱交換器と、室外側送風機と、電気品箱と、圧縮機とを室外機の外郭内に配した空気調和機において、室内機または室外機に換気送風機と換気ダクトにより構成された換気機能を有すると共に、換気ダクト内の空気の逆流を防ぐ部材を備えたことを特徴とする換気機能付空気調和機。
【請求項４】
薄い膜状の弁と膜を保持する枠状のホルダーで構成され、弁の保持部分は隙間を設けたる逆流防止弁を備えたことを特徴とする請求項３記載の換気装置付空気調和機。
【請求項５】
円錐状の薄い膜状に成形され、かつ円錐の頂点から複数の切れ目を有して花弁状にわずかな圧力差で開閉する円錐状逆流防止弁を備えたことを特徴とする請求項３記載の換気装置付空気調和機。
【発明の詳細な説明】
【技術分野】
【０００１】
この発明は、空気調和機に換気装置を組み合わせることにより、換気装置の小型化ができ、室外機の据付制限や外観をそこなうことなく換気機能を追加した空気調和機に関するものである。
【背景技術】
【０００２】
従来の換気装置付き空気調和機は、換気ファンと換気空気を搬送する換気用ダクトから構成させる換気装置を空気調和機室外機内部に配置し、換気装置は換気用ダクトと接続され他方の開放口を空気調和機の冷媒配管と同じ配管穴を使用し、室内に設けられている。
（例えば、特許文献１参照。）。
【０００３】
【特許文献１】特開２０００−２０５５９３号公報（第３頁〜第４頁、図１、図７、図８）
【発明の開示】
【発明が解決しようとする課題】
【０００４】
従来の室外機に換気装置を具備する空気調和機は以上のように構成され換気装置を室外機上部内に設けているため、室外機の高さ寸法が高くなりマンション等の天吊据付ができないという据付制約が発生するという問題があった。
【０００５】
また、室内全体を換気する別の換気システムにより室内が室外に対して負圧になると、室外から室内に空気が流れる逆流現象が生じるため、冬季に暖房で加湿を行っている状態で、室内空気の露点温度以下の室外空気が逆流した場合、室内に引き込まれた換気ダクトは室外空気により冷却されて、換気ダクト外郭に結露水が付着してしまうという問題があった。
【０００６】
この発明は、上記のような課題を解決するためになされたもので、第１の目的は、換気装置を室外外郭の冷媒配管接続側の側面に配置し、その幅寸法を冷媒配管取り付け部のカバーとほぼ同一にしたことで、換気機能を持たない製品と同等の据え付け性を有する換気機能付き空気調和機を得るものである。
【０００７】
また、第２の目的は、ダクト内の空気の逆流を防ぐ部材を設けることによって、室外から室内に空気が流れる逆流現象が生じた場合に、換気ダクト外郭に結露水が付着するという問題を防ぐことができる機構を持った換気機能付き空気調和機を得るものである。
【課題を解決するための手段】
【０００８】
この発明の換気機能付空気調和機は、熱交換器と、室外側送風機と、電気品箱と、圧縮機とを室外機の外郭内に配した空気調和機において、前記室外機の外郭側面に換気装置を設けたものである。
【０００９】
また、この発明の換気機能付空気調和機は、熱交換器と、室外側送風機と、電気品箱と、圧縮機とを室外機の外郭内に配した空気調和機において、室内機または室外機に換気送風機と換気ダクトにより構成された換気機能を有すると共に、換気ダクト内の空気の逆流を防ぐ部材を備えたものである。
【発明の効果】
【００１０】
この発明の換気装置付空気調和機は、室外機外郭側面に換気装置を設け、幅寸法を冷媒配管取り付け部のカバーとほぼ同一にしたことで、室外機の外郭寸法を変えずに従来と同じ据付制約で換気機能付き空気調和機を設置することができるという効果を有する。
【００１１】
また、この発明の換気装置付空気調和機は、熱交換器と、室外側送風機と、電気品箱と、圧縮機とを室外機の外郭内に配した空気調和機において、室内機または室外機に換気送風機と換気ダクトにより構成された換気機能を有すると共に、換気ダクト内の空気の逆流を防ぐ部材を備えたので、、換気ダクト内を室外側から室内側に向かって空気が逆流することを防ぎ、換気ダクトに結露するという問題を解消することができる効果がある。
【発明を実施するための最良の形態】
【００１２】
実施の形態１．
図１はこの発明の実施の形態１における換気機能付空気調和機の斜視図、図２はこの発明の実施の形態１における室外機をパネルを一部取除いて示す斜視図、換気装置を示す分解図、図３はこの発明の実施の形態１における換気装置を示す断面図、図４はこの発明の実施の形態１における換気装置を示す分解斜視図、図５はこの発明の実施の形態１における換気装置の逆流防止弁を示す断面図、図６はこの発明の実施の形態１における換気装置をの流防止弁を示す分解斜視図、図７はこの発明の実施の形態２における換気装置を示す断面図、図７はおける換気装置の逆流防止弁を示す斜視図である。
【００１３】
図において、空気調和機室内機１は、熱交換器２ａと、室外側送風機２ｂと、電気品箱２ｃと、圧縮機２ｄとを室外機２の外郭２ｅ内に配し、冷媒配管１ａにより連結接続されており、この室外機２の外郭側面２ｆに、冷媒配管１ａのカバー３の横幅寸法とほぼ同一になるようになるような寸法の換気装置４が設けられている。この換気装置４は換気ダクト５により前記室内機１と連通接続されている。
【００１４】
また、この換気装置４は風路４ｂを設けた換気装置本体４ａと、この本体カバー４ｃと、前記風路４ｂ内に配置した換気送風機４ｄと、前記本体カバー４ｃの接続口４ｅを備えた吸入側４ｆと前記換気送風機４ｄの間にベルマウス４ｇを設けている。また、換気送風機４ｄの後方の吹出し側４ｈには外部に空気を排出する排気口４ｉを有する構成となっている。吸入側４ｆの接続口４ｅ部分には、換気ダクト５からの空気流入時は開放となり、換気ダクト５に向けて空気が流出する場合は閉となる逆流防止弁６が設けられている。この逆流防止弁６は、薄い膜状の弁６ａと膜を保持する枠状のホルダー６ｂからなり、弁６ａの保持部分は弁自体の動きを妨げない隙間６ｃを有しており、薄い弁６ａの自重によりわずかな圧力差で開閉する機能を持っている。
【００１５】
次に動作について説明する。通常の空気調和機は、室外機２内の圧縮機２ｄの運転により熱交換器２ａ内の冷媒と空気とが熱交換して冷媒を冷やし室内機１に運び、室内機１内の熱交換器（図示されていない）と室内空気とが熱交換して室内空気を冷やすものである。
【００１６】
そして空気調和機を換気運転とすると、前記のように構成された換気装置４において、換気送風機４ｄを駆動させることにより室外機２と室内機１を接続する換気ダクト５より接続口４ｅを経由し吸入側４ｆから室内の有害物質を吸込み、換気装置４の吹出し側４ｈを経て排気口４ｉから外部に吹出すことにより室内の換気を行う。
【００１７】
この際に換気装置４の吸入側４ｆにある換気ダクト接続口４ｅには逆流防止弁６が設けられており、この逆流防止弁６は、薄い膜状の弁６ａと膜を保持する枠状のホルダー６ｂとで構成され、通常の場合、弁６ａは枠状のホルダー６ｂに蓋をする形で閉状態にて保持されているが、弁６ａの保持部分は弁自体の動きを妨げない隙間６ｃを有しており、換気送風機４ｄが運転して負圧になった場合は、薄い弁６ａの自重がわずかな重さしかないことにより、持ち上げられて枠状のホルダー６ｂから離れて弁６ａは開放状態となる。
【００１８】
この換気装置は換気送風機４ｄが停止している状態で、室内を別の換気システムで換気した場合に、室内側が負圧になることで、換気ダクト５を介して室外側の空気が逆流しようとした場合には逆流防止弁６の弁６ａが閉じているため、逆流を防止する働きをする。
【００１９】
以上のように、この発明による換気装置は製品の外部側面に設けられ、外形寸法は従来の製品と同等であることから、同等の設置条件で据え付けが可能であると共に、逆流防止弁を内臓することで、換気ダクト内を室外側から室内側に向かって空気が逆流することを防ぎ、換気ダクトに結露するという問題を解消することができる効果がある。
【００２０】
実施の形態２．
以上の実施の形態１では、膜状の逆流防止弁６を内臓したものであるが、枠状のホルダーに代えて円錐状逆流防止弁を備えた実施の形態２について説明する。図７はこの発明の実施の形態２における換気装置を示す断面図、図８はこの発明の実施の形態２における換気装置の逆流防止弁を示す斜視図で、（ａ）は閉鎖状態説明図、（ｂ）は開放状態説明図ある。実施の形態１と同様に構成された換気装置において、実施の形態１で示した逆流防止弁６に代えて、異なる形状で同様の機能を有する円錐状逆流防止弁７について説明する。
【００２１】
円錐状逆流防止弁７は、円筒状の底部７ａと円錐状の薄い膜状に成形され、かつ円錐の頂点７ｂから複数の切れ目７ｃを有して花弁状に開閉することを可能とする弾性体で作られており、弾性体の柔軟性によりわずかな圧力差で開閉する機能を持っている。
【００２２】
次に動作について説明する。逆流防止弁１４は通常は弾性体の成形時の形状である円錐形をしているが、換気送風機４ｄが運転して負圧になると円筒状の底面７ａから頂点７ｂに向かって空気が流れようとするため、円錐の頂点７ｂから複数設けられている切れ目７ｃが開き、円錐部分が花弁状に開いた形となることで開放状態となる。
【００２３】
この実施の形態２による換気装置４の換気送風機４ｄが停止している状態で、室内を別の換気システムで換気した場合に、室内側が負圧になることで、換気ダクト５を介して室外側の空気が逆流しようとした場合には円錐状逆流防止弁７の円錐状の頂点７ｂから底部７ｃに向かって空気が流れようとするが、円錐部分の内部が負圧になるために、円錐の頂点７ｂから設けられている複数の切れ目７ｃは閉じる方向の力を受けて閉状態となり逆流を防止する働きをする。
【００２４】
以上のように、実施の形態１と同様に円錐状逆流防止弁７を内臓することで、換気ダクト５に結露するという問題を解消することができる。
【図面の簡単な説明】
【００２５】
【図１】この発明の実施の形態１における換気機能付空気調和機の斜視図である。
【図２】この発明の実施の形態１における室外機をパネルを一部取除いて示す斜視図である。
【図３】この発明の実施の形態１における換気装置を示す断面図である。
【図４】この発明の実施の形態１における換気装置を示す分解斜視図である。
【図５】この発明の実施の形態１における換気装置の逆流防止弁を示す断面図である。
【図６】この発明の実施の形態１における換気装置をの流防止弁を示す分解斜視図である。
【図７】この発明の実施の形態２における換気装置を示す断面図である。
【図８】この発明の実施の形態２における換気装置の逆流防止弁を示す斜視図である。
【符号の説明】
【００２６】
１  空気調和機室内機、２  空気調和機室外機、２ａ  熱交換器、２ｂ  室外側送風機、２ｃ  電気品箱、２ｄ  圧縮機、３  冷媒配管のカバー、４  換気装置、４ａ  ４ｂ  ４ｃ  ４ｄ  換気送風機、４ｅ  接続口、４ｆ  吸入側、４ｇ  ベルマウス、４ｈ  吹出側、４ｉ  排気口、５  換気ダクト、６  逆流防止弁、６ａ  薄い弁、６ｂ  ホルダー、６ｃ  隙間、７  円錐状逆流防止弁、７ａ  円筒底部、７ｂ  円錐の頂点、７ｃ  切れ目。
【図１】
2005134026.tif 000003
【図２】
2005134026.tif 000004
【図３】
2005134026.tif 000005
【図４】
2005134026.tif 000006
【図５】
2005134026.tif 000007
【図６】
2005134026.tif 000008
【図７】
2005134026.tif 000009
【図８】
2005134026.tif 000010